【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
光源から射出されたビームを偏向することで被走査面を走査する走査光学装置であって、
前記ビームの射出タイミングを制御するための画像クロックの周波数の補正量を、前記ビームの主走査方向の１ラインを構成する画素ごとに、決定する決定部と、
決定された前記補正量にしたがって画素ごとに画像クロックの周波数を補正する補正部と、
補正された前記画像クロックの周波数にしたがって、前記光源を駆動するために利用される画像信号を生成する生成部と、
前記画像信号にしたがって前記光源を駆動制御する駆動制御部と
を含み、
前記決定部は、
前記主走査方向の１ラインを複数に分割することで形成される主走査領域ごとに、その主走査領域に含まれる画素に対して適用される前記補正量の変化率を表す変化率データを記憶する記憶部と、
各主走査領域ごとに、対応する前記変化率データを前記記憶部から読み出し、読み出した該変化率データにしたがって画素ごとの補正量を算出する補正量算出部と
を含むことを特徴とする走査光学装置。
【請求項２】
前記補正量算出部は、前記主走査方向の１ラインを形成する各主走査領域において、それぞれ対応する前記変化率データにしたがって前記画像クロックの周波数を単調増加又は単調減少させるよう前記補正量を算出することを特徴とする請求項１に記載の走査光学装置。
【請求項３】
前記記憶部に記憶されている主走査領域ごとの前記変化率データは、
前記ビームを受光するために前記被走査面に沿って配置された複数のセンサと、前記センサから出力される出力信号の出力時間差を像高に換算する換算部と、該換算部により得られた像高と、該像高の理想値に対するずれ量との対応関係を表す近似関数を決定する近似関数決定部と、決定された近似関数を微分して得られる微分関数を決定する微分部と、該微分関数に定数を加算することで前記変化率データを求めるための変化率関数を決定する変化率関数決定部と、前記変化率関数から前記変化率データを算出する変化率データ算出部と、主走査領域ごとの前記変化率データを前記記憶部に書き込む書き込み部とを含む冶工具によって求められたものであることを特徴とする請求項１に記載の走査光学装置。
【請求項４】
前記決定部は、
前記ビームを受光することで主走査の開始タイミングを検出する検出部と、
前記主走査の開始タイミングが検出されるとカウントを開始するカウンタと、
を含み、
前記補正量算出部は、
前記カウンタによるカウント値が、ある主走査領域から次の主走査領域に切り替わったことを示す値となると、該次の領域に対応する前記変化率データを読み出すことを特徴とする請求項１乃至３のいずれか１項に記載の走査光学装置。
【請求項５】
複数の主走査領域のそれぞれにおいて先頭画素に適用される画像クロックの初期周波数を設定する設定部をさらに含み、
前記設定部は、
前記複数の主走査領域のうち、１番目の主走査領域の先頭画素に適用される画像クロックの初期周波数を、前記主走査方向の１ラインの全体倍率から決定する初期周波数決定部と、
前記複数の主走査領域のうち、２番目から最終番目の主走査領域におけるそれぞれの先頭画素に適用される初期周波数として、１つ前の主走査領域の最終画素に適用された周波数を引き継がせる引継部と
を含むことを特徴とする請求項１乃至３のいずれか１項に記載の走査光学装置。
【請求項６】
画像形成装置であって、
請求項１乃至５のいずれか１項に記載の走査光学装置と、
前記走査光学装置によって走査される像担持体と、
前記像担持体に形成された潜像を現像剤像へと現像する現像部と、
前記現像剤像を記録媒体に転写する転写部と
を含むことを特徴とする画像形成装置。
【請求項７】
前記像担持体又は前記転写部に含まれる転写体上において主走査方向に沿って形成された複数のパターンを読み取ることで各パターンの形成位置を特定する特定部と、
各パターンについて、前記特定部により特定された形成位置の、理想的な形成位置に対するずれ量を決定するずれ量決定部と、
決定された前記ずれ量から主走査領域ごとの変化率データを作成する作成部と
を含むことを特徴とする請求項６に記載の画像形成装置。
【請求項８】
前記複数のパターンをそれぞれ読み取るために、主走査方向における両端部と中央部とに対応して配置された少なくとも３つの読取センサを含むことを特徴とする請求項７に記載の画像形成装置。
【請求項９】
画像形成装置であって、
請求項１に記載の走査光学装置と、
前記走査光学装置によって走査される像担持体と、
前記像担持体に形成された潜像を現像剤像へと現像する現像部と、
前記現像剤像を記録媒体に転写する転写部と、
前記像担持体又は前記転写部に含まれる転写体上において主走査方向に沿って形成された複数のパターンを読み取ることで各パターンの形成位置を特定する特定部と、
各パターンについて、前記特定部により特定された形成位置の、理想的な形成位置に対するずれ量を決定するずれ量決定部と、
決定された前記ずれ量から前記主走査領域ごとの変化率データを作成する作成部と、
前記記憶部に記憶されている変化率データを適用して前記パターンが形成されたときに前記作成部により作成された変化率データを前記記憶部に書き込むことで、前記記憶部に記憶されている変化率データを更新する更新部と
を含むことを特徴とする画像形成装置。
【請求項１０】
光源から射出されたビームを偏向することで被走査面を走査する走査光学装置に適用される画像クロックの周波数の補正方法であって、
前記ビームの射出タイミングを制御するための画像クロックの周波数の補正量を、前記ビームの主走査方向の１ラインを構成する画素ごとに、決定する決定工程と、
決定された前記補正量にしたがって画素ごとに画像クロックの周波数を補正する補正工程と
を含み、
前記決定工程は、
前記主走査方向の１ラインを複数に分割することで形成される主走査領域ごとに、その主走査領域に含まれる画素に対して適用される前記補正量の変化率を表す変化率データを記憶する記憶部から、各主走査領域ごとに、対応する前記変化率データを読み出し、読み出した該変化率データにしたがって画素ごとの補正量を算出する補正量算出工程
を含むことを特徴とする画像クロックの周波数の補正方法。
【手続補正２】
【補正対象書類名】明細書
【補正対象項目名】０００６
【補正方法】変更
【補正の内容】
【０００６】
本発明は、例えば、光源から射出されたビームを回転偏向することで被走査面を走査する走査光学装置に適用される。走査光学装置は、例えば、決定部、補正部、生成部及び駆動制御部を含む。決定部は、ビームの射出タイミングを制御するための画像クロックの周波数の補正量を、ビームの主走査方向の１ラインを構成する画素ごとに決定する。補正部は、決定された補正量にしたがって画像クロックの周波数を補正する。生成部は、補正された画像クロックの周波数にしたがって光源を駆動するために利用される画像信号を生成する。駆動制御部は、画像信号にしたがって光源を駆動制御する。さらに、決定部は、主走査方向の１ラインを複数に分割することで形成される主走査領域ごとに、その主走査領域に含まれる画素に対して適用される補正量の変化率を表す変化率データを記憶する記憶部と、各主走査領域ごとに、対応する変化率データを記憶部から読み出し、読み出した変化率データにしたがって画素ごとの補正量を算出する補正量算出部とを含むことを特徴とする。
【手続補正３】
【補正対象書類名】明細書
【補正対象項目名】発明の名称
【補正方法】変更
【補正の内容】
【発明の名称】走査光学装置、画像形成装置及び画像クロックの周波数の補正方法